(57)【要約】【課題】遊技中における球戻り防止装置の作動性を高めると共に、球戻り防止装置の製作コストを低減する弾球遊技機を提供する。【解決手段】球戻り防止装置１６は、本体部材３２と、本体部材３２に支軸３６を介して回動可能に枢着されるゲート部材３１とを有し、本体部材３２に、支軸３６の先端部分を圧入させる圧入穴３３を形成した圧入部４５と、カバー部４２と、取付基部３９とを一体的に形成し、ゲート部材３１は、枢支穴３７を設けた基部３４と、開閉部３０と、開閉部３０を閉位置へ付勢する錘部３５とを有し、錘部３５は、基部３４に対して開閉部３０と反対側へ延設され且つ圧入部４５の軸方向幅だけ開閉部３０の幅よりも狭幅に形成されると共に、開閉部３０が開位置のときに錘部３５が基部３４から略水平方向へ延びるように開閉部３０に対して球案内通路１８側へ所定角度屈曲して形成した。【選択図】図５
2010201229.tif 000002
【特許請求の範囲】
【請求項１】
遊技球を発射する発射手段と、この発射手段により発射された遊技球をガイドレールに沿って遊技領域内へ案内する球案内通路と、遊技領域に臨むガイドレールの先端部に対応する遊技盤部分に配設されて遊技領域からの遊技球の戻りを防止する球戻り防止装置とを備えた弾球遊技機において、
前記球戻り防止装置は、本体部材と、この本体部材に支軸を介して回動可能に枢着されたゲート部材とを有し、
前記本体部材に、前記支軸の先端部分を圧入させる圧入穴を形成した圧入部と、この圧入穴の前端側に位置するカバー部と、遊技盤の盤面に取り付けられる取付基部とを一体的に形成し、
前記ゲート部材は、前記支軸を挿通させる枢支穴を設けた基部と、前記基部に一体形成され前記球案内通路を開閉する開閉部と、前記開閉部を閉位置へ付勢する錘部とを有し、
前記錘部は、前記基部に対して前記開閉部と反対側へ延設され且つ前記圧入部の軸方向幅だけ前記開閉部の幅よりも狭幅に形成されると共に、前記開閉部が開位置のときに前記錘部が基部から略水平方向へ延びるように前記開閉部に対して前記球案内通路側へ所定角度屈曲して形成した、
ことを特徴とする弾球遊技機。
【請求項２】
前記圧入穴と枢支穴を前後に直列状に配置した状態で、前記支軸を後方から枢支穴に挿入してその支軸の先端部分を圧入穴に圧入固定し、
前記取付基部を遊技盤の盤面に当接状に前記本体部材を遊技盤に固定した状態において、支軸の後端部を遊技盤から所定距離離隔させると共に、その所定距離よりも前記圧入穴の深さが大きくなるように形成したことを特徴とする請求項１に記載の弾球遊技機。
【請求項３】
前記本体部材は、前記ゲート部材の遊技領域側への回動を規制する第１規制部と、前記ゲート部材の球案内通路側への回動を規制する第２規制部を設けたことを特徴とする請求項１又は２に記載の弾球遊技機。
【発明の詳細な説明】
【技術分野】
【０００１】
本発明は、弾球遊技機に関し、遊技領域からの遊技球の球戻りを防止する球戻り防止装置を備えた弾球遊技機に関するものである。
【背景技術】
【０００２】
従来、パチンコ機においては、遊技領域に臨むガイドレールの先端部に対応する遊技盤部分に配設され遊技領域からの遊技球の球戻りを防止する球戻り防止装置が設けられている。この球戻り防止装置は、発射装置により球案内通路から遊技領域へ投入された遊技球が、障害釘や風車に当たって球案内通路側に逆戻りするのを防止するものである。
【０００３】
特許文献１の球戻り防止装置は、遊技盤の盤面に固定されるベース部材と、このベース部材に支点ピンを介して回動可能に枢着されるゲート部材と、このゲート部材に固定されゲート部材を閉位置へ付勢する錘とを備えている。ゲート部材は、球案内通路の出口を開閉する開閉部を有すると共に、支点ピンを挿通させる軸穴を備えている。ベース部材の前面には支持ピンの先端のねじ部がねじ込まれる支点穴が設けられている。
【先行技術文献】
【特許文献】
【０００４】
【特許文献１】特開２００４−３２９２９９号公報
【発明の概要】
【発明が解決しようとする課題】
【０００５】
特許文献１の球戻り防止装置においては、遊技中において発射装置から連続的に遊技球が発射される場合、ゲート部材の開閉部に遊技球が繰返し衝突すると、その開閉部に衝撃が繰返し作用することにより支点穴にねじ込まれた支点ピンの先端が緩んできてゲート部材の作動性が低下する。また、ゲート部材が長期間作動すると、支点ピンの先端が支点穴から抜けてしまうと共に、ゲート部材がベース部材から外れてしまうおそれがある。さらに、支点ピンの頭部の形状やその頭部の金属色がゲート部材の前面から露出した状態なので、球戻り防止装置の外観の意匠性が低下する。
【０００６】
装置を組立てる場合、支点ピンをゲート部材の軸穴に挿入した後、支点ピンの先端のねじ部をベース部材の支点穴にねじ込ませる為のねじ止め工程が必要となるので、装置組立て時の組立て工数が増加し、製作コスト的に不利である。
本発明の目的は、弾球遊技機に関し、遊技中における球戻り防止装置の作動性の低下を防止すること、球戻り防止装置の外観に表れる意匠性を高めること、球戻り防止装置の製作コストを低減することである。
【課題を解決するための手段】
【０００７】
請求項１の弾球遊技機は、遊技球を発射する発射手段と、この発射手段により発射された遊技球をガイドレールに沿って遊技領域内へ案内する球案内通路と、遊技領域に臨むガイドレールの先端部に対応する遊技盤部分に配設されて遊技領域からの遊技球の戻りを防止する球戻り防止装置とを備えた弾球遊技機において、球戻り防止装置は、本体部材と、この本体部材に支軸を介して回動可能に枢着されたゲート部材とを有し、本体部材に、支軸の先端部分を圧入させる圧入穴を形成した圧入部と、この圧入穴の前端側に位置するカバー部と、遊技盤の盤面に取り付けられる取付基部とを一体的に形成し、ゲート部材は、支軸を挿通させる枢支穴を設けた基部と、基部に一体形成され球案内通路を開閉する開閉部と、開閉部を閉位置へ付勢する錘部とを有し、錘部は、基部に対して開閉部と反対側へ延設され且つ圧入部の軸方向幅だけ開閉部の幅よりも狭幅に形成されると共に、開閉部が開位置のときに錘部が基部から略水平方向へ延びるように開閉部に対して球案内通路側へ所定角度屈曲して形成したことを特徴としている。
【０００８】
請求項２の弾球遊技機は、請求項１の発明において、圧入穴と枢支穴を前後に直列状に配置した状態で、支軸を後方から枢支穴に挿入してその支軸の先端部分を圧入穴に圧入固定し、取付基部を遊技盤の盤面に当接状に本体部材を遊技盤に固定した状態において、支軸の後端部を遊技盤から所定距離離隔させると共に、その所定距離よりも前記圧入穴の深さが大きくなるように形成したことを特徴としている。
【０００９】
請求項３の弾球遊技機は、請求項１又は２の発明において、本体部材は、ゲート部材の遊技領域側への回動を規制する第１規制部と、ゲート部材の球案内通路側への回動を規制する第２規制部を設けたことを特徴としている。
【発明の効果】
【００１０】
請求項１の発明によれば、球戻り防止装置は、本体部材と、この本体部材に支軸を介して回動可能に枢着されたゲート部材とを有し、本体部材に、支軸の先端部分を圧入させる圧入穴を形成した圧入部と、圧入穴の前端側に位置するカバー部と、取付基部とを一体的に形成し、ゲート部材は、枢支穴を設けた基部と、開閉部と、錘部とを有するので、支軸の先端部分を強固に固定することができると共に、支軸が前方へ抜け出すことがない。そのため、遊技中において遊技球が連続して発射されてもゲート部材の作動性の低下を防止することができる。
【００１１】
さらに、錘部は、基部に対して開閉部と反対側へ延設され且つ圧入部の軸方向幅だけ開閉部の幅よりも狭幅に形成されると共に、開閉部が開位置のときに錘部が基部から略水平方向へ延びるように開閉部に対して球案内通路側へ所定角度屈曲して形成したので、ゲート部材の作動性を高めることができる。
【００１２】
請求項２の発明によれば、圧入穴と枢支穴を前後に直列状に配置した状態で、支軸を後方から枢支穴に挿入してその支軸の先端部分を圧入穴に圧入固定したので、支軸の先端部分を強固に固定できると共に、支軸が前方へ抜け出すことがない。そのため、遊技中において遊技球が連続して発射されてもゲート部材の作動性の低下を防止することができる。
また、取付基部を遊技盤の盤面に当接状に本体部材を遊技盤に固定した状態において、支軸の後端部を遊技盤から所定距離離隔させると共に、その所定距離よりも前記圧入穴の深さが大きくなるように形成したので、開閉部に遊技球が繰返し衝突し、開閉部に衝撃が繰返し作用することにより支軸の先端部分の圧入が緩んだ状態においても、支軸が遊技盤とカバー部の間に配設されることで、支軸の先端部分が圧入穴から外れることがなく、ゲート部材が安定して作動し続けることができる。
さらに、支軸をゲート部材の枢支穴から挿入してその先端部分が圧入穴に圧入固定するので、装置組立て時の組立工数を削減し、製作コストの低減を図ることができる。
【００１３】
請求項３の発明によれば、本体部材は、ゲート部材の遊技領域側への回動を規制する第１規制部と、ゲート部材の球案内通路側への回動を規制する第２規制部を設けたので、ゲート部材の回動範囲を確実に規制することができる。  
【図面の簡単な説明】
【００１４】
【図１】パチンコ機の斜視図である。
【図２】パチンコ機の遊技盤の正面図である。
【図３】遊技盤に配設された球戻り防止装置の部分拡大正面図である。
【図４】球戻り防止装置の分解斜視図である。
【図５】球戻り防止装置の裏側拡大斜視図である。
【図６】球戻り防止装置の後面拡大図である。
【図７】球戻り防止装置の正面拡大図である。
【図８】球戻り防止装置の左側面図である。
【図９】球戻り防止装置の右側面図である。
【図１０】支軸の先端部分が圧入穴に圧入固定された状態を示す縦断面拡大図である。
【図１１】支軸の先端部分の圧入が緩んだ状態を示す縦断面拡大図である。
【発明を実施するための形態】
【００１５】
以下、本発明を実施するための形態について実施例に基づいて説明する。
【実施例】
【００１６】
以下、本発明の実施例を図面に基づいて説明する。
図１に示すように、カード式弾球遊技機であるパチンコ機１は、矩形枠状の外枠３と、この外枠３に開閉自在に枢着された前枠４とを有し、カード式球貸し機２をサンドイッチ状に挟持する状態で、外枠３が島構造体（図示略）に着脱自在に装着されている。前枠４には、遊技盤５が裏側から着脱自在に装着され、遊技盤５の前側に対応させて、窓部６ａを有するガラス扉６と発射用の遊技球Ｐを貯留する上皿８の前面板７とが夫々開閉自在に枢着されている。前面板７の下部には、上皿８から溢流し又は抜き取った遊技球Ｐを貯留する下皿９と、発射ハンドル１０とが設けられている。
【００１７】
球受け皿８の右部には、カード式球貸し機２に対する球貸し操作用の操作パネル１３が設けられ、この操作パネル１３には、カード残額を３桁の数字で表示するカード残額表示部１３ａと、所定金額分の遊技球Ｐの球貸しを指示する球貸しスイッチ１３ｂと、遊技終了時にカードの返却を指令する返却スイッチ１３ｃとが設けられている。
【００１８】
図２に示すように、鉛直な盤面を形成する遊技盤５には、外レール１４ａと内レール１４ｂとからなるガイドレール１４がほぼ環状に設けられ、ガイドレール１４の内側に遊技領域５ａが形成され、発射ハンドル１０を回動操作して発射された遊技球Ｐは、このガイドレール１４により遊技領域５ａへ案内される。遊技領域５ａに臨む内レール１４ｂの先端部には球戻り防止装置１６が配設されている。この球戻り防止装置１６により、外レール１４ａと内レール１４ｂ間に形成された球案内通路１８から遊技領域５ａの上部へ投入された遊技球Ｐの球案内通路１８側への逆流が防止される。
【００１９】
遊技領域５ａには、多数の障害釘（図示略）と、風車１１と、センターケース２５と、そのセンターケース２５に一体的に設けられた液晶ディスプレイ（ＬＣＤ）２５ａと、可動役物１２と、特別図柄表示部２８と、普通図柄ランプ表示部２９と、特別図柄表示部２８の特別図柄表示領域２８ａ〜２８ｃ内に配設された複数の特別図柄変動保留ランプ（図示略）と、複数（４つ）の普通図柄変動保留ランプ２７と、複数の普通入賞口２０と、第１始動口２１ａと第２始動口２１ｂとを備えた特別図柄始動口２１と、第２始動口２１ｂを大小変化させるように開閉する始動口開閉部材２１ｃと、ゲート式の普通図柄始動口２２と、大入賞口１５を開閉する開閉扉１５ａと、入賞しなかった遊技球Ｐをアウト球として回収する球排出口１７等が設けられている。
【００２０】
遊技領域５ａに投入された遊技球Ｐは、風車１１や多数の障害釘に当たって方向を換えながら落下していき、普通入賞口２０、特別図柄始動口２１の第１、第２始動口２１ａ、２１ｂ、普通図柄始動口２２、大入賞口１５の何れかに入賞するか、最下端まで落下して球排出口１７から排出される。普通入賞口２０、大入賞口１５の何れかに遊技球Ｐが入球した場合には、その入賞口１５、２０に応じて予め定めた数の遊技球Ｐが上皿８又は下皿９に払い出される。
【００２１】
特別図柄始動口２１に入球した遊技球Ｐを検出した場合には、特別図柄表示部２８において、複数（３つ）の特別図柄表示領域２８ａ〜２８ｃに複数の特別図柄が７セグメント表示装置により変動表示され、その表示装置の変動停止時の表示結果が特定図柄態様（「４４４」、「７７７」等）になった場合、開閉扉１５ａにより大入賞口１５が開閉されて、遊技者に有利な利益状態が発生する。ここで、特別図柄の変動中に特別図柄始動口２１の第１、第２始動口２１ａ、２１ｂに遊技球Ｐが入球した場合には、その入球数が最大４個まで保留球として記憶され、その保留球に相当する数の特別図柄変動保留ランプが点灯される。そして、その保留数に相当する回数の特別図柄の変動表示が連続的に行われる。
【００２２】
利益状態が発生すると、所定の入賞条件に基づいて、例えば、大入賞口２３は最大で１５ラウンド開閉動作を繰返し、大入賞口２３の各開放は、その大入賞口２３に遊技球Ｐが１０個入球するか、その開放時から３０秒経過するまで維持される。
【００２３】
また、普通図柄始動口２２に入球した遊技球Ｐを検出した場合には、普通図柄ランプ表示部２９の普通図柄当りランプ表示領域２９ａと普通図柄外れランプ表示領域２９ｂとの何れかにおいて、抽選手段による普通図柄の当り／外れの抽選結果がランプ表示され、当りランプ表示領域２９ａのランプが点灯表示された場合、始動口開閉部材２１ｃにより、特別図柄始動口２１が所定回数開閉される。
【００２４】
ここで、当り／外れランプ表示領域２９ａ、２９ｂの何れかのランプの点灯表示中に普通図柄始動口２２に遊技球Ｐが入球した場合には、その入球数が最大で４個まで保留数として記憶され、普通図柄ランプ表示部２９の表示領域２９ａ、２９ｂでの当り／外れのランプ表示の実行回数が普通図柄変動保留ランプ２７に点灯される。そして、その保留数に相当する回数分の普通図柄の当り／外れに関する抽選値が抽出され、その抽選値に基づく当り／外れの判定結果が普通図柄ランプ表示部２９の当り／外れランプ表示領域２９ａ、２９ｂにて連続的に点灯表示される。
【００２５】
次に、球戻り防止装置１６について説明する。
図２〜図７に示すように、球戻り防止装置１６は、本体部材３２と、ゲート部材３１と、支軸３６と、錘部材３３とを備え、遊技領域５ａに臨む内レール１４ｂの先端の近傍に遊技盤５の盤面よりも手前側に突出した状態で配置されている。なお、図５、図６は、球戻り防止装置１６の裏側を示すものであり、図７は、球戻り防止装置１６の表側を示している。
【００２６】
図４に示すように、本体部材３２は、取付基部３９と、壁部４１と、カバー部４２と、係合部４８とを備え、これらが合成樹脂材料により一体成形されている。取付基部３９は板状に形成され、上下２箇所には、取付基部３９から後方へ突出状に一体成形された１対の位置決め突部４３が設けられている。これら位置決め突部４３の間には１つのビス部材５０が挿通可能な円形のビス穴４０が穿設されている。
【００２７】
壁部４１は、取付基部３９の上端から上方に向けて延設されると共に前方へ延びるように設けられている。壁部４１は、第１規制部４６と第２規制部４７を備え、図５に示すようにゲート部材３１の基部３４と錘部３５の外形を覆う断面コ字状に形成されている。第１規制部４６は、壁部４１の上端に形成され、ゲート部材３０の遊技領域５ａ側への回動を規制するものである。第２規制部４７は、壁部４１の中央部において前後方向に延びる突条であり、支軸３６を中心にゲート部材３１に固定された錘部材３３の重心が回動する回動軌跡上に一致する位置に設けられている。第２規制部４７は、ゲート部材３０の球案内通路１８側への回動を規制するものである。
【００２８】
図４、図５に示すように、カバー部４２は、壁部４１の前面を覆う形状に形成されている。カバー部４２の裏面には、その裏面から後方へ突出した圧入部４５が一体成形されている。この圧入部４５は、ゲート部材３１の枢支穴３７と直列状に配置されている。その中央部分には遊技盤５の盤面側から穿設され支軸３６の先端部分を圧入固定する圧入穴４４が形成されている。この圧入穴４４は円筒状に形成され、支軸３６の径より僅かに小さい径で且つ支軸３６の先端部分を挿入可能な深さを有する。圧入穴４４は後面側のみ開口した形状で形成される一方、その前面側はカバー部４２の裏面で塞がれている。圧入穴４４の深さは、詳しくは図１０、図１１に示すように、球戻り防止装置１６が遊技盤５の盤面に組み付けられたときの遊技盤５の盤面と支軸３６の頭部３６ｂ間の距離よりも大きくなるように形成されている。好ましくは、圧入穴４４の深さを遊技盤５の盤面と支軸３６の頭部３６ｂ間の距離の２倍以上にした方がよい。
【００２９】
係合部４８は内レール１４ｂの先端部と係合する為のスリット状の係合溝を有し、壁部４１の下側に配設されている。球戻り防止装置１６は、その係合溝を内レール１４ｂの先端部分に係合させることにより内レール１４ｂの先端部に対応する遊技盤５部分に配置されることになる。
【００３０】
ゲート部材３１は、基部３４と、開閉部３０と、錘部３５とを備え、本体部材３２の後側に配設されている。基部３４、開閉部３０、錘部３５は、夫々、合成樹脂材料で構成され、これらが一体成形されている。
基部３４には支軸３６が挿通可能な円筒状の枢支穴３７が設けられている。図５に示すように、ゲート部材３１は、遊技盤５の盤面側からその枢支穴３７に挿通された支軸３６を介して本体部材３２に回動可能に枢着されている。
【００３１】
開閉部３０は、基部３４の枢支穴３７よりも上側に設けられ、球案内通路１８の出口を開閉するように薄板状に形成されている。この開閉部３０は、ゲート部材３１の回動中心となる支軸３６に対して上方に延設されている。開閉部３０の一側面は遊技領域５ａに進入する遊技球Ｐに当接する進入球当接面３０ａとして構成され、この進入球当接面３０ａの裏面は戻り球に当接する戻り球当接面３０ｂとして構成されている。
【００３２】
図３に示すように、開閉部３０は本体部材３２を介して内レール１４ｂの先端部近傍に配置され、外レール１４ａ側に向かって上方に延びるように配置されている。この開閉部３０により球案内通路１８の出口側の道幅が遊技球Ｐの直径より小さくなるように狭められる。ガイドレール１４に沿って球案内通路１８を上昇する遊技球Ｐは、開閉部３０の進入球当接面３０ａに当接した後開閉部３０を２点鎖線で示す遊技領域５ａ側へ退避させ遊技領域５ａ内に進入する。
【００３３】
基部３４の枢支穴３７より下側には錘部材３３が固定される錘部３５が設けられている。この錘部３５は枢支穴３７の軸方向に沿った断面形状に形成されている。図６、図７に示すように、錘部３５は、開閉部３０を遊技球Ｐにより遊技領域５ａ側に傾動した２点鎖線で示す開位置から球案内通路１８側（矢印方向）へ傾動した実線で示す閉位置に復帰させるために付勢力を発生するものである。
【００３４】
錘部３５は、支軸３６に対して上方に延設された開閉部３０と反対方向の下方に延設されると共に、開閉部３０の進入球当接面３０ａが外レール１４ａの側面に対して鋭角となるように球案内通路１８側に屈曲して形成されている。これにより、錘部３５において錘部材３３を支軸３６の鉛直下方より球通路案内１８側に固定でき、錘部材３３の重力による開閉部３０を球案内通路１８側へ付勢する付勢力が一層高められる。
【００３５】
錘部３５には、遊技盤５の盤面側から穿設された錘部材取付穴３８が設けられている。この錘部材取付穴３８は、円柱状の錘部材３３を螺着して固定する為の部位であり、錘部材３３と同一の径を有する円筒形状に形成されている。錘部材取付穴３８は、後面側のみ開口した形状で形成される一方で、その前面側は錘部３５の壁により塞がれている。錘部材３３は、ゲート部材３１よりも比重の重い金属製のビス部材で構成されている。錘部材３３が錘部材取付穴３８に螺着され固定されることにより、開閉部３０を開位置から閉位置へ復帰させる錘部３５の付勢力が高められる。
【００３６】
支軸３６は、金属材料で構成され、ゲート部材３１の枢支穴３７に挿通する軸部３６ａと、軸部３６ａの先端と反対側の後端に設けられた頭部３６ｂとを備えている。頭部３６ｂは、軸部３６ａの径より大きな外形を有する。図５に示すように、支軸３６は基部３４の枢支穴３７に挿通して遊技盤５の前面に対し略直交する方向に突設し、軸部３６ａでゲート部材３１を回動可能に枢支する。
【００３７】
球戻り防止装置１６を組み立てるに際しては、遊技盤５の盤面側から支軸３６の軸部３６ａをゲート部材３１の枢支穴３７に挿通させ、その軸部３６ａの先端部分を圧入穴４４に圧入固定し、ゲート部材３１が圧入穴４４の外周縁と支軸３６の頭部３６ｂとの間に挟まれ回動可能に枢支される。また、圧入穴４４の前面側はカバー部４２の裏面で塞がれているので、軸部３６ａの先端がカバー部４２の前面から露出することがない。次に、錘部３５の錘取付穴３８に錘部材３３を螺着させ固定する。
【００３８】
図８、図９に示すように、組み立てられた球戻り防止装置１６は、本体部材３２の係合部４８の係合溝を内レール１４ａの先端部分に係合させることにより遊技盤５の前面に配設される。次に、取付基部３９の１対の位置決め突部４３を、遊技盤５に形成された１対の位置決め穴４９に嵌合させることにより、支軸３６が遊技盤５の盤面と圧入穴４４との間に配設される。そして、１つのビス部材５０を取付基部３９のビス穴４０に挿入し遊技盤５の盤面に螺着して取付基部３９が遊技盤５の前面に沿って固定され球戻り防止装置１６が遊技盤５の盤面に組付けられる。
【００３９】
図１０に示すように、支軸３６の先端部分が圧入穴４４に圧入固定されている状態において、遊技中において発射ハンドル１０が操作され連続的に遊技球Ｐが発射されると、開閉部３０の進入球当接面３０ａに遊技球Ｐが繰返し衝突し、その進入球当接面３０ａに衝撃が繰返し作用することにより、支軸３６の先端部分の圧入が緩んでくる。図１１に示すように、支軸３６の先端部分の圧入が緩んだ状態においても、圧入穴４４の深さを遊技盤５の盤面と支軸３６の頭部間３６ｂの距離よりも大きくなるように形成したので、支軸３６の先端部分が圧入穴４４から抜けることがなく、ゲート部材３１が安定して作動し続ける。
【００４０】
以上説明した球戻り防止装置１６の作用効果について説明する。
発射ハンドル１０の回動操作により発射された遊技球Ｐは、ガイドレール１４に沿って球案内通路１８を上昇し、ゲート部材３１の開閉部３０の進入球当接面３０ａに接触する。ゲート部材３１は、支軸３６を介して本体部材３２に回動可能に枢着されているので、錘部材３３を固定した錘部３５による付勢力に抗してして遊技球Ｐによりゲート部材３１が時計回り方向に回動すると共に開閉部３０が遊技領域５ａ側へ傾動する。遊技球Ｐが球案内通路１８の出口を通過した後、錘部３５の付勢力によりゲート部材３１が反時計回り方向へ回動すると共に開閉部３０が元の閉位置まで傾動し、球案内通路１８の出口が遊技球Ｐの直径より小さい道幅に狭められる。
【００４１】
球戻り防止装置１６は、本体部材３２と、ゲート部材３１と、支軸３６と、錘部材３３とを有し、枢支穴３７をゲート部材３１に設けると共に、支軸３６の先端部分を圧入させる圧入穴４４を本体部材３２に設け、圧入穴４４と枢支穴３７を前後に直列状に配置し、支軸３６を枢支穴３７から挿入してその先端部分を圧入穴４４に圧入固定し、圧入穴４４の前面側を塞ぐカバー部４２を本体部材３２に一体的に形成したので、支軸３６の先端部分を強固に固定できると共に、支軸３６が前方へ抜け出すことがない。また、支軸３６が遊技盤５の盤面とカバー部４２との間に配設されるので、支軸３６の先端部分が圧入穴４４から外れることがない。そのため、遊技中において遊技球が連続して発射されてもゲート部材の作動性の低下を防止することができる。
【００４２】
また、カバー部４２の裏面により圧入穴４４の前面側を塞がれるので、支軸３６の先端部分がカバー部４２の前面から露出することがなく、球戻り防止装置１６の外観の意匠性を高めることができる。支軸３６をゲート部材３１の枢支穴３７から挿入してその先端部分を圧入穴４４に圧入固定したので、装置組立て時の組立工数を削減し、製作コストの低減を図ることができる。
【００４３】
本体部材３２に遊技盤の１対の位置決め穴に嵌合される１対の位置決め突部４３と、これら位置決め突部４３の間に形成されたビス穴４０とを設け、このビス穴４０に挿通させた１つのビス部材５０により本体部材３２を遊技盤５の盤面に固定したので、遊技盤５に対する球戻り防止装置１６装置の位置決めを容易に行うことができるうえ、球戻り防止装置１６の組付け作業を簡単且つ容易に行うことができる。
【００４４】
次に、前記実施例を部分的に変更した変更例について説明する。
１〕実施例においては、カバー部４２の裏面に一体成形された圧入穴４４に支軸３６の先端部分を圧入固定したが、支軸の先端部をビス部材、圧入穴をビス穴とし、支軸の先端部分をビス穴に螺着固定した構成にしてもよい。
【００４５】
２〕実施例においては、錘部材３３は金属材料で構成したが、ゲート部材３１よりも比重の重いものであれば、金属材料以外の他の材料で形成してもよく、セラミックなどの非金属無機材料、或いは金属の充填材料を含む複合材料等で構成してもよい。
【００４６】
３〕その他、当業者であれば、前記実施例に種々の変更を付加した形態で実施可能であり、本発明はそのような変更された種々の形態を包含するものである。
【符号の説明】
【００４７】
Ｐ  遊技球
１  パチンコ機
５  遊技盤
５ａ  遊技領域
１４  ガイドレール
１６  球戻り防止装置
３１  ゲート部材
３２  本体部材
３３  錘部材
３６  支軸
３７  枢支穴
４０  ビス穴
４２  カバー部
４３  位置決め突部
４４  圧入穴
４９  位置決め穴
５０  ビス部材
【図１】
2010201229.tif 000003
【図２】
2010201229.tif 000004
【図３】
2010201229.tif 000005
【図４】
2010201229.tif 000006
【図５】
2010201229.tif 000007
【図６】
2010201229.tif 000008
【図７】
2010201229.tif 000009
【図８】
2010201229.tif 000010
【図９】
2010201229.tif 000011
【図１０】
2010201229.tif 000012
【図１１】
2010201229.tif 000013